(57)【要約】      （修正有）【課題】本考案はハウジング、ニードルベース及び駆動ユニットを含むニードルパンチング装置に関する。【解決手段】ハウジング１は開口部を含む。該ニードルベース２は、第１方向に沿って該ハウジング内にスライド可能に設けられ、複数の第１挿入孔及び複数の第１案内溝を含み、該第１挿入孔にはそれぞれ複数のパンチングニードル９の一端が挿着され、該第１案内溝にはそれぞれ複数の該パンチングニードルが収容される。該駆動ユニット３は、伝動プーリ３１及びリンク３３を含み、該伝動プーリは該第１方向と交差する第２方向の周りに回動し、該リンクはそれぞれ該伝動プーリと該ニードルベースとの間に枢接され、該伝動プーリが回動すると、該リンクは該ニードルベースを動かして該第１方向に沿って往復移動させる。これにより、使用者がハウジングを握持するだけで、ニードルパンチングを自動的に行うことができる。【選択図】図２
0003232091.tif 000002
【実用新案登録請求の範囲】
【請求項１】
ニードルパンチング装置であって、
開口部を含むハウジングと、
第１方向に沿って前記ハウジング内にスライド可能に設けられ、複数の第１挿入孔及び複数の第１案内溝を含み、前記第１挿入孔にはそれぞれ複数のパンチングニードルの一端が挿着され、前記第１案内溝にはそれぞれ複数の前記パンチングニードルが収容されるニードルベースと、
伝動プーリ及びリンクを含み、前記伝動プーリが前記第１方向と交差する第２方向の周りに回動し、前記リンクがそれぞれ前記伝動プーリと前記ニードルベースとの間に枢接され、前記伝動プーリが回動すると、前記リンクが前記ニードルベースを動かして前記第１方向に沿って往復移動させる駆動ユニットとを含む、ニードルパンチング装置。
【請求項２】
前記駆動ユニットはモータをさらに含み、前記モータは駆動軸を含み、前記モータと前記駆動軸とは前記第１方向に延びており、前記駆動軸は前記第１方向の周りに回動し、前記伝動プーリに連動可能に組み立てられる、請求項１に記載のニードルパンチング装置。
【請求項３】
前記駆動軸には傘歯がさらに設けられ、前記伝動プーリには環状歯部が設けられ、前記傘歯は前記伝動プーリの環状歯部と噛み合う、請求項２に記載のニードルパンチング装置。
【請求項４】
前記第１挿入孔及び前記第１案内溝は前記第１方向に並んで配列されている、請求項１に記載のニードルパンチング装置。
【請求項５】
前記ニードルベースには、前記伝動プーリから前記開口部に向かう方向に複数の前記第１挿入孔、複数の前記第１案内溝、複数の第２挿入孔及び複数の第２案内溝が順次設けられ、前記第２挿入孔及び前記第２案内溝は前記第１方向に並んで配列され、前記複数の第１案内溝及び前記複数の第２案内溝は前記第１方向に延びる、請求項４に記載のニードルパンチング装置。
【請求項６】
複数の前記第２案内溝の延在長さは複数の前記第１案内溝よりも大きく、前記リンクは前記ニードルベースの前記伝動プーリに向かう一端に枢接される、請求項５に記載のニードルパンチング装置。
【請求項７】
前記ハウジングは案内部材をさらに含み、前記案内部材にはシュートが設けられ、前記ニードルベースは前記シュートにスライド可能に設けられ、前記駆動ユニットから離れた前記案内部材の一端には前記開口部が設けられる、請求項１〜６のいずれか１項に記載のニードルパンチング装置。
【請求項８】
前記案内部材のシュートには、前記第２方向に沿って切り欠きが開けられ、前記切り欠きには蓋板が覆設され、前記切り欠きの２つの縁部のそれぞれにはボスが設けられ、前記蓋板の両端のそれぞれには２つのフック部材が設けられ、前記２つのフック部材はそれぞれ前記２つのボスに引っ掛けられる、請求項７に記載のニードルパンチング装置。
【請求項９】
前記ハウジングは結合された２つのケースを含み、前記駆動ユニットは前記２つのケース内に設けられ、前記２つのケースの一端は前記案内部材に嵌設され、それぞれ雄ねじ部が設けられ、ブッシュは前記２つの雄ねじ部に螺合され、前記案内部材は前記ブッシュ内に位置する、請求項７に記載のニードルパンチング装置。
【請求項１０】
前記２つのケースは略半円管体であり、前記２つのケースには、拡大部及び前記案内部材に嵌設された縮径部が設けられ、前記伝動プーリは前記２つの拡大部内に位置する、請求項９に記載のニードルパンチング装置。
【請求項１１】
前記第１挿入孔及び前記第１案内溝は前記第１方向に並んで配列され、
前記ニードルベースには、前記伝動プーリから前記開口部に向かう方向に複数の前記第１挿入孔、複数の前記第１案内溝、複数の第２挿入孔及び複数の第２案内溝が順次設けられ、前記第２挿入孔及び前記第２案内溝は前記第１方向に並んで配列され、前記複数の第１案内溝及び前記複数の第２案内溝は前記第１方向に延びており、
複数の前記第２案内溝の延在長さは複数の前記第１案内溝よりも大きく、前記リンクは前記ニードルベースの前記伝動プーリに向かう一端に枢接され、
前記ハウジングは案内部材をさらに含み、前記案内部材にはシュートが設けられ、前記ニードルベースは前記シュートにスライド可能に設けられ、前記駆動ユニットから離れた前記案内部材の一端には前記開口部が設けられ、
前記案内部材のシュートには、前記第２方向に沿って切り欠きが開けられ、前記切り欠きには蓋板が覆設され、前記切り欠きの２つの縁部のそれぞれにはボスが設けられ、前記蓋板の両端のそれぞれには２つのフック部材が設けられ、前記２つのフック部材はそれぞれ前記２つのボスに引っ掛けられ、
前記ハウジングは結合された２つのケースを含み、前記駆動ユニットは前記２つのケース内に設けられ、前記２つのケースの一端は前記案内部材に嵌設され、それぞれ雄ねじ部が設けられ、ブッシュは前記２つの雄ねじ部に螺合され、前記案内部材は前記ブッシュ内に位置し、
前記２つのケースは略半円管体であり、前記２つのケースには、拡大部及び前記案内部材に嵌設された縮径部が設けられ、前記伝動プーリは前記２つの拡大部内に位置し、
前記ニードルベースは長方形ブロックであり、前記シュートはコの字を左９０度回転した形の溝であり、
前記伝動プーリから離れた前記ブッシュの一端に挿着されて前記第１方向に貫通孔が開けられたキャップをさらに含む、請求項３に記載のニードルパンチング装置。
【考案の詳細な説明】
【技術分野】
【０００１】
本考案はニードルパンチング装置に関する。
【背景技術】
【０００２】
フェルト製品は、職人がパンチングニードルを用いて毛玉を繰り返してニードルパンチングすることで所望の形状に成形したものであることが知られているが、ニードルパンチングを繰り返す過程が複雑であり、長期間作業をすると職人のフェルトを操作する手に職業病をもたらしたり、疲労により不注意でパンチングニードルがフェルト操作手以外の手を刺したりすることが発生するため、解決しなけれならない欠点が存在する。
【０００３】
そこで、上記の問題を解決するために、新規性及び進歩性を有するニードルパンチング装置を提供する必要がある。
【考案の概要】
【考案が解決しようとする課題】
【０００４】
本考案の主な目的は、ニードルパンチングを自動的に行い、ニードルフェルトの作業効率を向上させ、使用者の職業病及び疲労を低減させるニードルパンチング装置を提供することにある。
【課題を解決するための手段】
【０００５】
上記目的を達成させるために、本考案は、ハウジング、ニードルベース及び駆動ユニットを含むニードルパンチング装置を提供する。該ハウジングは開口部を含む。該ニードルベースは、第１方向に沿って該ハウジング内にスライド可能に設けられ、複数の第１挿入孔及び複数の第１案内溝を含み、該第１挿入孔にはそれぞれ複数のパンチングニードルの一端が挿着され、該第１案内溝にはそれぞれ複数の該パンチングニードルが収容される。該駆動ユニットは、伝動プーリ及びリンクを含み、該伝動プーリは該第１方向と交差する第２方向の周りに回動し、該リンクはそれぞれ該伝動プーリと該ニードルベースとの間に枢接され、該伝動プーリが回動すると、該リンクは該ニードルベースを動かして該第１方向に沿って往復移動させる。
【図面の簡単な説明】
【０００６】
【図１】本考案の好ましい一実施例の斜視図である。
【図２】本考案の好ましい一実施例の分解図である。
【図３】本考案の好ましい一実施例の部分模式図である。
【図４】本考案の好ましい一実施例のニードルベースの斜視図である。
【図５】本考案の好ましい一実施例の模式図である。
【図６】本考案の好ましい一実施例の模式図である。
【図７】本考案の好ましい一実施例の操作の断面図である。
【図８】本考案の好ましい一実施例の操作の断面図である。
【図９】本考案の好ましい一実施例の操作の断面図である。
【考案を実施するための形態】
【０００７】
以下の実施例は、本考案の可能な実施形態を説明するためのものに過ぎず、本考案の保護の範囲を制限するものではないことを事前に説明する。
【０００８】
図１〜９に示すように、それらは本考案の好ましい一実施例を示しており、本考案のニードルパンチング装置は、ハウジング１、ニードルベース２及び駆動ユニット３を含む。
【０００９】
該ハウジング１は開口部１１を含む。
【００１０】
該ニードルベース２は、第１方向に沿ってハウジング１内にスライド可能に設けられ、複数の第１挿入孔２１及び複数の第１案内溝２２を含み、該第１挿入孔２１にはそれぞれ複数のパンチングニードル９の一端が挿着され、該第１案内溝２２にはそれぞれ複数の該パンチングニードル９が収容される。
【００１１】
該駆動ユニット３は、伝動プーリ３１及びリンク３３を含み、該伝動プーリ３１は該第１方向と交差する第２方向の周りに回動し、該リンク３３はそれぞれ該伝動プーリ３１と該ニードルベース２との間に枢接され、該伝動プーリ３１が回動すると、該リンク３３は該ニードルベース２を動かして該第１方向に沿って往復移動させる。
【００１２】
したがって、該ニードルベース２が該第１方向に沿って往復移動することにより、使用者が該ハウジング１を握持するだけで、該パンチングニードル９はニードルパンチングを自動的に行い、そして、ニードルフェルトの作業効率を向上させ、使用者の職業病及び疲労を低減させるように、使用者は実際の使用状況に応じて複数の該パンチングニードル９の数を調整することができる。
【００１３】
具体的には、該駆動ユニット３はモータ３４をさらに含み、該モータ３４は駆動軸３４１を含み、該モータ３４と該駆動軸３４１とは該第１方向に延びており、該駆動軸３４１は該第１方向の周りに回動し、該伝動プーリ３１に連動可能に組み立てられる。好ましくは、該駆動軸３４１には傘歯３４２がさらに設けられ、該伝動プーリ３１には環状歯部３２が設けられ、該傘歯３４２は該伝動プーリ３１の環状歯部３２と噛み合う。該モータ３４が該第１方向に延びており、且つ該駆動軸３４１に該傘歯３４２が設けられることにより、該モータ３４の延伸方向が該ハウジング１の延伸方向と同じになり、それにより、該ハウジング１は握持しやすい長尺形状になり、且つ小型化する。
【００１４】
該第１挿入孔２１及び該第１案内溝２２は該第１方向に並んで配列され、それにより、ニードルパンチングの面積を増大する。好ましくは、該ニードルベース２には、該伝動プーリ３１から該開口部１１に向かう方向に、複数の該第１挿入孔２１、複数の該第１案内溝２２、複数の第２挿入孔２３及び複数の第２案内溝２４が順次設けられ、該第２挿入孔２３及び該第２案内溝２４は該第１方向に並んで配列され、該複数の第１案内溝２２及び該複数の第２案内溝２４は該第１方向に延びる。使用者は、使用する複数の該パンチングニードル９をこれらのサイズに応じて複数の該第１挿入孔２１又は複数の該第２挿入孔２３に選択的に挿着することができる。本実施例では、複数の該第２案内溝２４の延在長さは複数の該第１案内溝２２よりも大きく、該リンク３３は該ニードルベース２の該伝動プーリ３１に向かう一端に枢接される。
【００１５】
さらに、該ハウジング１は案内部材１２をさらに含み、該案内部材１２にはシュート１３が設けられ、該ニードルベース２は該シュート１３にスライド可能に設けられ、該駆動ユニット３から離れた該案内部材１２の一端には該開口部１１が設けられ、そのうち、該ニードルベース２は長方形ブロックであり、該シュート１３は、該ニードルベース２が該案内部材１２に対して回動することを防止するようにコの字を左９０度回転した形の溝とされる。
【００１６】
本実施例では、該案内部材１２のシュート１３には、該第２方向に沿って切り欠き１４が開けられ、該切り欠き１４には蓋板１５が覆設され、該切り欠き１４の２つの縁部のそれぞれにはボス１２１が設けられ、該蓋板１５の両端のそれぞれには２つのフック部材１５１が設けられ、この２つのフック部材１５１はそれぞれ、該蓋板１５が該案内部材１２から抜けることを防止するようにこの２つのボス１２１に引っ掛けられ、該蓋板１５を取り外すと、複数の該パンチングニードル９を交換することができる。
【００１７】
また、該ハウジング１は結合された２つのケース１６を含み、該駆動ユニット３はこの２つのケース１６内に設けられ、この２つのケース１６の一端は該案内部材１２に嵌設され、それぞれ雄ねじ部１６１が設けられ、ブッシュ４１はこの２つの雄ねじ部１６１に螺合され、該案内部材１２は該ブッシュ４１内に位置し、それにより、この２つのケース１６が互いに離脱することを防止し、且つ該案内部材１２及び該蓋板１５が外物による衝撃を受けて壊れることを回避する。本考案は、該伝動プーリ３１から離れた該ブッシュの一端に挿着されて該第１方向に沿って貫通孔４２１が開けられたキャップ４２をさらに含み、該ニードルベース２が該第１方向に沿って往復移動するときに、該パンチングニードル９は該貫通孔４２１から往復的に突出する。
【００１８】
そのうち、この２つのケース１６は略半円管体であり、この２つのケース１６には、拡大部１６２及び該案内部材１２に嵌設された縮径部１６３が設けられ、該伝動プーリ３１はこの２つの拡大部１６２内に位置し、該拡大部１６２は、使用者による握持時の安定性を確保する。
【００１９】
上記のとおり、本考案のニードルパンチング装置は、該ニードルベースが該第１方向に沿って往復移動することにより、使用者が該ハウジングを握持するだけで、該パンチングニードルがニードルパンチングを自動的に行い、また、ニードルフェルトの作業効率を向上させ、使用者の職業病及び疲労を低減させるように、使用者は実際の使用状況に応じて複数の該パンチングニードルの数を調整することができる。
【符号の説明】
【００２０】
１    ハウジング
１１    開口部
１２    案内部材
１２１    ボス
１３    シュート
１４    切り欠き
１５    蓋板
１５１    フック部材
１６    ケース
１６１    雄ねじ部
１６２    拡大部
１６３    縮径部
２    ニードルベース
２１    第１挿入孔
２２    第１案内溝
２３    第２挿入孔
２４    第２案内溝
３    駆動ユニット
３１    伝動プーリ
３２    環状歯部
３３    リンク
３４    モータ
３４１    駆動軸
３４２    傘歯
４１    ブッシュ
４２    キャップ
４２１    貫通孔
９    パンチングニードル
【図１】
0003232091.tif 000003
【図２】
0003232091.tif 000004
【図３】
0003232091.tif 000005
【図４】
0003232091.tif 000006
【図５】
0003232091.tif 000007
【図６】
0003232091.tif 000008
【図７】
0003232091.tif 000009
【図８】
0003232091.tif 000010
【図９】
0003232091.tif 000011